(57)【要約】【課題】インクジェットカートリッジをキャリッジに装着するだけで位置精度を損なう事無く安定した固定保持ができ、ユーザの誤装着がないインクジェット記録装置を提供する。【解決手段】着脱可能なカートリッジと、カートリッジを保持する保持手段と、保持手段に揺動可能に係止されて揺動中心より異方向に伸びた２つのアーム部を有した係合手段とを備えたカートリッジ保持装置の構成として、係合手段の一方のアーム部はカートリッジに係脱可能に係合する係合部を形成し、他方のアーム部はカートリッジ被係合部とは異なる面に押圧当接するよう形成し、少なくとも一方のアーム部は弾性変形可能に形成しており、カートリッジ非装着時の係合手段の係合部とアーム当接部とを結ぶ直線距離Ｌ１が装着時距離Ｌ２に対してＬ１<Ｌ２になるように構成する。【選択図】  図１
2006159715.tif 000002
【特許請求の範囲】
【請求項１】
着脱可能なカートリッジと、該カートリッジを保持する保持手段と、該保持手段に揺動可能に係止されて揺動中心より異方向に伸びた２つのアーム部を有した係合手段とを備えたカートリッジ保持装置において、係合手段の一方のアーム部はカートリッジに係脱可能に係合する係合部を形成し、他方のアーム部は前記カートリッジ被係合部とは異なる面に押圧当接するよう形成し、少なくとも一方のアーム部は弾性変形可能に形成しており、前記カートリッジ非装着時の前記係合手段の係合部とアーム当接部とを結ぶ直線距離Ｌ１が装着時距離Ｌ２に対してＬ１<Ｌ２になるように構成したことを特徴とするカートリッジ固定装置。
【請求項２】
前記係合手段は前記カートリッジ非装着時に係合部がカートリッジ装着軌道上から外れた揺動位置で待機するように構成したことを特徴とする請求項１記載のカートリッジ固定装置。
【発明の詳細な説明】
【技術分野】
【０００１】
本発明はプリンターや複写機、スキャナーなどに備えられたインクジェット記録装置に関し、詳しくは着脱自在な交換式カートリッジの着脱構造に関する。
【背景技術】
【０００２】
従来、プリンターや複写機、スキャナーなどは、処理するシート材に記録を行うインクジェット記録装置を備えている。図５に示すように、インクジェット記録装置は、インクを吐出するインクジェットカートリッジ１００と、それを保持するキャリッジ２００及び固定する固定手段３００と、その固定手段３００を付勢するバネ４００とで構成されている。
このインクジェットカートリッジ１００は吐出面側に設けた2箇所の嵌合ボス１０１，１０２（図５では１０２は図示を省略）をキャリッジ側に設けた嵌合穴に嵌合させ、反対側に設けられた三角状の三角凸部１０３を固定手段３０１で押え込むことで固定保持される。固定手段３００はインクジェットカートリッジ１００を固定する第一位置と、解放する第二位置との間で移動可能に構成されており、固定手段３００を第二位置に移動させることでインクジェットカートリッジ１００は解放され外すことが可能になる。また固定手段３００を第一位置に移動させることで装着されたインクジェットカートリッジ１００を固定することができる。この他にもインクジェットカートリッジをキャリッジに固定する技術は特許文献１に開示されている。
【特許文献１】特開２００４−０９０３４３号公報
【発明の開示】
【発明が解決しようとする課題】
【０００３】
しかしながら、従来技術においては、固定手段３００を第一位置に移動させなくてもインクジェットカートリッジ（以下、単にカートリッジという場合もある）１００はキャリッジ２００の所定の位置に装着できてしまうため、ユーザが固定手段３００の操作を忘れる誤装着が発生してしまう。インクジェットカートリッジ１００が固定されていないと、印字不良等の原因となる。
【０００４】
その対策として、図６に示すように固定手段３００からレバー部を外した固定機構部５００が設けられ、その固定機構部５００はバネ４００で常にインクジェットカートリッジ１００側に付勢されている。これによりインクジェットカートリッジ１００の装着動作のみで固定が可能になる。しかし、この構成では、インクジェットカートリッジ１００の装着軌道上に固定部があるため、固定機構部５００の付勢力を強くするとインクジェットカートリッジ１００の装着が行い難くなる。よって、カートリッジ装着容易性のため付勢力を強くできずに固定が不安定になり、印字不良等が発生してしまう。
【０００５】
そこで、本発明の目的は、インクジェットカートリッジをキャリッジに装着するだけで位置精度を損なう事無く安定した固定保持ができ、ユーザの誤装着がないインクジェット記録装置を提供することにある。
【課題を解決するための手段】
【０００６】
上記目的を達成するために、本発明は、着脱可能なカートリッジと、該カートリッジを保持する保持手段と、該保持手段に揺動可能に係止されて揺動中心より異方向に伸びた２つのアーム部を有した係合手段とを備えたカートリッジ保持装置において、係合手段の一方のアーム部はカートリッジに係脱可能に係合する係合部を形成し、他方のアーム部は前記カートリッジ被係合部とは異なる面に押圧当接するよう形成し、少なくとも一方のアーム部は弾性変形可能に形成しており、前記カートリッジ非装着時の前期係合手段の係合部とアーム当接部とを結ぶ直線距離Ｌ１が装着時距離Ｌ２に対してＬ１<Ｌ２になるように構成したことを特徴とする。
【０００７】
また、前記係合手段は前記カートリッジ非装着時に係合部がカートリッジ装着軌道上から外れた揺動位置で待機するように構成したことを特徴とする。
【発明の効果】
【０００８】
本発明によれば、カートリッジ非装着時の係合部とアーム当接部とを結ぶ直線距離は装着時よりも短いため、カートリッジをキャリッジに置いただけではアーム当接部に当接して所定の位置に装着されない。このためカートリッジが外れていることが明確に認識することができる。また、アーム当接部を押圧当接させながらカートリッジを所定の位置に装着することでカートリッジ被係合部が係合されて、カートリッジはキャリッジに固定保持される。
【０００９】
カートリッジを装着するだけでキャリッジにしっかり固定保持することができ、装着後の印字不良がなくなるインクジェット記録装置を実現することができる。さらに記録ヘッドの取り外しにおいても、記録ヘッドが飛び出してくるので指で掴みやすく、外れていることも認識しやすいインクジェット記録装置を実現することができる。
【００１０】
さらに、カートリッジ非装着時は係合部が装着軌道上から外れた位置で待機しているので、アーム部の付勢力を大きくできる。
【発明を実施するための最良の形態】
【００１１】
以下、本発明の実施の形態について図面を用いて説明する。図２はインクジェット記録装置に適用できるインクジェットカートリッジを示す斜視図である。インクをシート材（図示せず）に吐出するインクジェットカートリッジ１００はインクタンク（図示せず）を有しており、保持手段（好ましくはキャリッジ）２００に着脱可能に構成されている。
【００１２】
インクジェットカートリッジ１００は吐出面側に嵌合ボス１０１，１０２が形成されており、キャリッジ２００の嵌合穴２０１，２０２に嵌合することで所定の位置に装着される。そして、嵌合ボス１０１，１０２の反対側の面に三角凸部１０３が形成されており、この三角凸部１０３に係合手段（好ましくは固定レバー）３００の係合部（好ましくはレバーフック）３０１が係ることによってインクジェットカートリッジ１００は固定保持される。この固定レバー３００はキャリッジ２００に揺動可能に支持させ、レバーフック３０１が記録ヘッッドの三角凸部１０３に係脱可能に構成されている。
【００１３】
続いて、図１は本発明のインクジェットカートリッジの固定方法を最も良く表す図面であり、同図において本発明の構成を説明する。固定レバー３００は弾性変形可能なレバー３０２を有しており、その先端部分がインクジェットカートリッジ１００と係合するようになっている。インクジェットカートリッジ１００の装着時はインクジェットカートリッジ１００がレバー３０２を押圧するように構成されている。そして、非装着時に固定レバー３００の押圧位置と係合部３０１とを結んだ距離Ｌ１が、装着時の距離Ｌ２よりも小さく構成している。すなわち、Ｌ１<Ｌ２である。
【００１４】
また、インクジェットカートリッジが装着されていない状態の固定レバー３００は図に示すようにレバーフック３０１がインクジェットカートリッジ装着軌道上から外れた揺動位置に待機するようにアンバランスに構成している。
【００１５】
続いて、本構成のインクジェットカートリッジ１００の着脱動作を説明する。インクジェットカートリッジ１００は嵌合ボス１０１，１０２先端を嵌合穴２０１，２０２に引っ掛けて回転させながら所定の位置に装着する。その際レバー３０２が押圧されて支持部３０３を軸に揺動し、レバーフック３０１が三角凸部１０３に係合してインクジェットカートリッジは固定される。また、固定レバー３００を倒すことで、レバーフック３０１がインクジェットカートリッジから外れ、インクジェットカートリッジはレバー３０２で押し上げられて所定の位置から外れる。
【００１６】
本実施例ではインクジェットカートリッジ係合部を三角凸部１０３としたが、これに留まるものではなく、図３に示す丸ボス１０４のように係合する構成であれば、どのような形状でも同様な結果が得られる。また、係合部を嵌合ボス１０１，１０２の反対側としたが、これに留まるものではなく、図３に示すように係合部３０４を嵌合ボス１０１，１０２と隣り合う面に設けたとしても係合する構成であれば、どの位置でも同様な結果が得られる。
【００１７】
また、上記実施例においてはレバー３０２を弾性変形可能としたが、図４に示すように固定レバー３００の係合部３０１側のアーム３０４を弾性変形可能に形成しても同様な効果が得られる。さらにアーム３０２、３０４が共に弾性変形可能であっても同様な効果が得られる。
【図面の簡単な説明】
【００１８】
【図１】本発明の実施形態におけるインクジェット記録装置の断面図である。
【図２】本発明の実施形態に係るインクジェット記録装置斜示図である。
【図３】他実施例に係るインクジェット記録装置斜示図である。
【図４】他実施例に係るインクジェット記録装置斜示図である。
【図５】従来技術に係るインクジェット記録装置の構成を示す図である。
【図６】従来技術に係るインクジェット記録装置の構成を示す図である。
【符号の説明】
【００１９】
１００    インクジェットカートリッジ
１０１，１０２  嵌合ボス
１０３    凸部
２００    キャリッジ
２０１，２０２  嵌合穴
３００    固定レバー
３０１    レバーフック
３０２    レバー
４００    バネ
【図１】
2006159715.tif 000003
【図２】
2006159715.tif 000004
【図３】
2006159715.tif 000005
【図４】
2006159715.tif 000006
【図５】
2006159715.tif 000007
【図６】
2006159715.tif 000008